(57)【特許請求の範囲】
【請求項１】
磁気カードの搬送路を境に開閉自在な上シャーシおよび下シャーシを備え、前記搬送路に沿って磁気カードを搬送するための複数の駆動ローラと、磁気カードに印字を行うための印字ヘッドを前記上シャーシに配設し、前記印字ヘッドに対向するプラテンローラを前記下シャーシに配設し、モータにより前記駆動ローラを回転させるようにした磁気カードリーダライタであって、
前記複数の駆動ローラは、それぞれの駆動ローラに連動するプーリを備え、前記駆動ローラのプーリ間に掛けられた、前記モータの動力を前記複数の駆動ローラに伝達するための両面タイミングベルトを設け、
前記両面タイミングベルトに前記プラテンローラに連動するプーリを当接させて前記プラテンローラを駆動することを特徴とする磁気カードリーダライタ。
【発明の詳細な説明】
【０００１】
【産業上の利用分野】
本発明は、印字可能な磁気カードを取り扱う磁気カードリーダライタに関するものである。
【０００２】
【従来の技術】
近年、プリペイドカード等の多種類の磁気カードが広く用いられるようになってきており、印字機能を付加した磁気カードリーダライタも次第に普及してきている。また、磁気カードリーダライタシステムが普及するにつれ、磁気カードリーダライタ内部のクリーニング等のメンテナンス作業の容易度向上に対する要望も多くなってきた。特に印字機能を付加した磁気カードリーダライタでは、印字用サーマルヘッドが汚れると薄く印字してしまうため、印字用サーマルヘッドのクリーニングが容易な搬送路部開閉が可能な機構である必要がある。
【０００３】
印字機能を付加した磁気カードリーダライタでは、印字動作の際、磁気カードの搬送ずれを防止するために、印字用サーマルヘッドを押圧するプラテンローラを駆動する必要がある。また磁気カードリーダライタの高さを低くするためには、搬送用モータ及びカード搬送ローラは搬送路に対して印字用サーマルヘッド側にする必要があり、印字用サーマルヘッドを押圧するプラテンローラと対向する関係となる。
【０００４】
【発明が解決しようとする課題】
従来では、印字用サーマルヘッドを押圧するプラテンローラの駆動をモータからギヤにより伝達していたため、搬送路部開閉機構とすると開閉時にギヤが破損するおそれがあり、搬送路部開閉機構とすることができなかった。
【０００５】
メンテナンス作業の容易度を向上させつつ磁気カードリーダライタの高さを低くし、印字動作の際、カードの搬送ずれを防止するためには、搬送路に対して搬送用モータ、駆動ローラ、及び印字用サーマルヘッドに対向する印字用サーマルヘッドを押圧するプラテンローラを駆動できる搬送路部開閉機構とすることが必要である。
【０００６】
そこで本発明は、印字ヘッドに対向するプラテンローラを簡単な構造で駆動することにより磁気カードの搬送ずれを防止し、またメンテナンスが容易で高さも低い磁気カードリーダライタを提供することを目的とする。
【０００７】
【課題を解決するための手段】
このために本発明は、モータの動力を複数の駆動ローラに伝達するための両面タイミングベルトを設け、この両面タイミングベルトにプラテンローラに連動するプーリを当接させてこのプラテンローラを駆動するようにした。
【０００８】
【作用】
上記構成により、メンテナンス作業の容易度を向上させつつ磁気カードリーダライタの高さを低くし、かつ駆動ローラを回転させるための両面タイミングベルトによりプラテンローラを回転させて、印字動作の際の磁気カードの搬送ずれを防止することができる。
【０００９】
【実施例】
以下、本発明の一実施例について図面を参照しながら説明する。図１は本発明の一実施例の磁気カードリーダライタの内部構成を示す上側平面図、図２は同シャーシを閉じた場合の側面断面図、図３は同シャーシを閉じた場合の側面図、図４は同シャーシを開いた場合の側面断面図である。
【００１０】
図１、図２、図３に示すように、磁気カード１は挿入口２から挿入され、間隔をおいて順に配置された複数の駆動ローラ３、４、５によってガイダー６で構成される搬送路７を搬送される。磁気カード１の搬送力は、前記３個の駆動ローラ３、４、５に各々、第一押圧ローラ８が押圧バネ９、第二押圧ローラ１０が押圧バネ１１、第三押圧ローラ１２が押圧バネ１３によって押圧付勢されることにより得られる。
【００１１】
磁気カード１の搬送源はモータ１４であり、その駆動力は、モータ１４の軸に圧入されたモータギヤ１５からギヤ１６、１７により、第三軸１８に取り付けられた駆動ローラ５へ、ついで第三軸１８と第二軸１９に取付られたプーリ２０に掛けられた両面タイミングベルト２１により第二軸１９に取り付けられた駆動ローラ４へ伝達され、更に第二軸１９と第一軸２２に取付られたプーリ２３に掛けられた丸ベルト２４により第一軸２２に固定された駆動ローラ３に伝達される。
【００１２】
図２において、磁気ヘッド２５はヘッド押圧バネ（図示せず）により磁気ヘッド２５と対向する位置に配置された磁気ヘッド押圧ローラ２６に押圧付勢されている。サーマルヘッド２７は、ホルダー２８に固定され、ソレノイド２９により磁気カード１の所定の位置に印字する場合は対向するプラテンローラ３０に押圧付勢され、磁気カード１が搬送される場合は、搬送路７から退避される。
【００１３】
モータ１４の駆動制御、磁気ヘッド２５の磁気カード１への情報書き込み制御と磁気カード１の情報読み込み制御、サーマルヘッド２７の磁気カード１への印字制御、及びソレノイド２９の駆動制御は、磁気カードリーダライタの上面及び下面に配置された制御基板３１、３２により行われる。
【００１４】
市場で磁気カードリーダライタを使用した場合、挿入口２からゴミ、ほこり等が侵入し各駆動ローラ３、４、５、及び各押圧ローラ８、１０、１２に固着すると磁気カード１がスリップし、記録再生エラーが発生する。磁気ヘッド２５、磁気ヘッド押圧ローラ２６に固着しても、同様のエラーが発生し、サーマルヘッド２７、プラテンローラ３０に固着すれば印字不良が発生する。これら固着したゴミ、ほこり等を取り除くため定期的な清掃が必要となる。
【００１５】
そこで図４に示すように、清掃を簡単に行えるようにガイダー６近傍を境に、装置の骨格を形成するシャーシを上シャーシ３３、１組と下シャーシ３４、１組に開閉自在に分割し、下シャーシ３４に支点板３５を固定し支点板３５の孔３５ａに通された上シャーシ３３のシャフト３６（図１）を中心に上シャーシ３３が矢印Ａ方向に開閉する構成とした。
【００１６】
上シャーシ３３には各駆動ローラ３、４、５が軸支され、サーマルヘッド２７、磁気ヘッド押圧ローラ２６が取付られている。下シャーシ３４には各押圧ローラ８、１０、１２、磁気ヘッド２５が取り付けられ、プラテンローラ３０が軸支されている。シャフト３６を中心に上シャーシ３３を開けば磁気ヘッド２５等を直接清掃棒３７で清掃することが出来る。
【００１７】
磁気カード１の所定の位置に印字を行う際は、サーマルヘッド２７を磁気カード１を押圧するため、磁気カード１がスリップして印字位置がずれる恐れがあり、プラテンローラ３０を駆動して磁気カード１のスリップを防止する必要がある。そこで図３に示すようにプーリ２０に調帯された両面タイミングベルト２１にプーリ３９を当接させてプーリ３９に駆動力を伝達することにより、プーリ３９と同軸の第四軸３８に固定されたプラテンローラ３０を駆動するようにした。
【００１８】
【発明の効果】
以上のように本発明は、両面タイミングベルトによりプラテンローラを駆動することにより、搬送路に対して搬送用モータ、駆動ローラ、及び印字ヘッドに対向し、印字ヘッドを押圧するプラテンローラを駆動できる搬送路部開閉機構とすることが可能となり、したがってメンテナンス作業の容易度を向上させつつ磁気カードリーダライタの高さを低くし、印字動作の際の磁気カードの搬送ずれを防止することができる。
【図面の簡単な説明】
【図１】本発明の一実施例の磁気カードリーダライタの内部構成を示す上側平面図
【図２】本発明の一実施例の磁気カードリーダライタのシャーシを閉じた場合の側面断面図
【図３】本発明の一実施例の磁気カードリーダライタのシャーシを閉じた場合の側面図
【図４】本発明の一実施例の磁気カードリーダライタのシャーシを開いた場合の側面断面図
【符号の説明】
１  磁気カード
３、４、５  駆動ローラ
２０  プーリ
２１  両面タイミングベルト
３０  プラテンローラ
３３  上シャーシ
３４  下シャーシ
３９  プーリ
【図１】
0003582154.tif 000002
【図２】
0003582154.tif 000003
【図３】
0003582154.tif 000004
【図４】
0003582154.tif 000005